(57)【要約】【課題】  電気や水道などに使用する合成樹脂製のパイプを配管現場にて鋸を使用しなくても簡単に切断することが出来る工具の提供。【解決手段】  刃３を下端に設けた本体４の先端部４ａ略中央に挿入溝４ｂを刃３と平行に穿設した刃体２を、先端５ａの下側に当部５ｂを突設した柄５に設けてなるカッター１と、Ｕ字形の受部７の端部８ａ・８ｂにそれぞれ切溝９を直列となるよう受部７の底部７ａ付近まで穿設し、一方の端部８ａ先端の切溝９に止軸１１を設け、受部７内周の他方の端部８ｂ元端に突起１２を３乃至４箇所内側に向けて突設した受部７の他方の端部８ｂ下方外側に、一端の上面を止部１４ａとした握手１４を切溝９と直列となるよう設けた受体６との組合せとしたものである。【選択図】        図１
0003118551.tif 000002
【実用新案登録請求の範囲】
【請求項１】
刃を下端に設けた本体の先端部略中央に挿入溝を刃と平行に穿設した刃体を柄に設けてなるカッターと、Ｕ字形の受部の端部にそれぞれ切溝を直列となるよう受部の底部付近まで穿設し、一方の端部先端の切溝に止軸を設け、受部内周の他方の端部元端側に突起を３乃至４箇所内側に向けて突設した受部の他方の端部側に、握手を切溝と直列となるよう設けた受体との組合せとしたことを特徴とする合成樹脂製パイプ用切断器具。
【請求項２】
カッターとして先端の下側に当部を突設してなる請求項１記載の合成樹脂製パイプ用切断器具。
【請求項３】
握手として一端の上面を止部としてなる請求項１記載の合成樹脂製パイプ用切断器具。
【考案の詳細な説明】
【技術分野】
【０００１】  本考案は電気及び水道などに使用する合成樹脂製のパイプを配管現場にて切断することが出来る合成樹脂製パイプ用切断器具に関するものである。
【背景技術】
【０００２】  電気及び水道などに使用する合成樹脂製のパイプを配管現場にて所定の寸法に切断する時、普通は鋸を用いて手動で切断していた。
【考案が解決しようとする課題】
【０００３】  このように合成樹脂製のパイプを配管現場にて鋸を用いて手動で切断しているが、鋸を常に準備する必要があり、更に手動作業のためパイプを固定する工具も必要となる等工具類の種類が多くなり準備と管理が煩わしくなると共に、鋸による切断時に合成樹脂特有の匂いが発生し配管場所によっては気分が悪くなるなど配管作業上非常に不都合を感じていた。
【課題を解決するための手段】
【０００４】  本考案はこのような不都合を解消し、工具の種類を少なくして準備や管理を容易にすると共に作業が気持ち良く行なうことが出来るようにした合成樹脂製パイプ用切断器具を提供せんとするものである。
刃を下端に設けた本体の先端部略中央に挿入溝を刃と平行に穿設した刃体を、先端の下側に当部を突設した柄に設けてなるカッターと、
Ｕ字形の受部の端部にそれぞれ切溝を直列となるよう受部の底部付近まで穿設し、一方の端部先端の切溝に止軸を設け、受部内周の他方の端部元端側に突起を３乃至４箇所内側に向けて突設した受部の他方の端部側に、一端の上面を止部とした握手を切溝と直列となるよう設けた受体との組合せとしたものである。
尚、カッターを受体に装着した時、受体の端部より刃が突き出ないように挿入溝を穿設しておく。
【０００５】  使用に当たっては、切断する合成樹脂製のパイプの切断位置に受体の受部を概略合わせて受部の底部にて保持し、カッターの刃体を切溝に合わせて挿入溝を止軸に挿入設置して切断の準備をする。
このように切断準備が整うと、パイプの切断位置にパイプ又は受体の何れかを動かして切断位置に刃を一致させる。
そして止軸を支点として柄と握手を握り、握力にて当部が止部に当たるまでカッターを押して行き刃にてパイプの途中までを押し切る。
【０００６】  カッターにてパイプの途中まで押し切ると、カッターを止軸を支点として元の位置まで戻し、切断位置がずれないようパイプを回し前述と同じ要領で再度押し切ると共に、この操作を２乃至３回繰り返してパイプを切断する。
尚、パイプの切断に当たっては、切断状態に応じて突起の箇所にパイプを設けて行なうようにしても良い。
このようにしてパイプの切断が終ると、挿入溝を止軸より抜き取りカッターを受体より取り外し他の切断作業に用いると共に、受体は所定の場所に保管し次のパイプ切断に備えておく。
【考案の効果】
【０００７】  上述の如く本考案は、止軸と挿入溝の着脱にてカッターと受体の組立分解が簡単で、しかも止軸を支点として梃子の原理を応用するため握力でパイプの切断が容易に行なえる。
又、パイプの切断を行なわない時には、カッターは一般的なナイフとして他の作業用に用いることが出来るため、作業現場における工具類の管理や保管が容易で、且つ切り粉や悪臭も少なくなり作業環境は勿論能率も良くなる等多くの特長があり実用上非常に優れた考案である。
【考案を実施するための最良の形態】
【０００８】  刃を下端に設けた本体の先端部略中央に挿入溝を刃と平行に穿設した刃体を、先端の下側に当部を突設した柄に設けてなるカッターと、Ｕ字形の受部の端部にそれぞれ切溝を直列となるよう受部の底部付近まで穿設し、一方の端部先端の切溝に止軸を設け、受部内周の他方の端部元端側に突起を３乃至４箇所内側に向けて突設した受部の他方の端部側に、一端の上面を止部とした握手を切溝と直列となるよう設けた受体との組合せとしたものである。
【実施例１】
【０００９】  以下本考案の一実施例を図面について説明する。
図中１はカッター全体を示し、２は刃体であって、刃３を下端に設けた本体４の先端部４ａを直角に近い鋭角とし、先端部４ａの略中央に係止用の挿入溝４ｂを刃３と平行に穿設し、先端５ａの下側に当部５ｂを突設した柄５の先端５ａを本体４の元端部４ｃに設けてカッター１としている。
６は受体全体を示し、７はＵ字形の受部であって、端部８ａ・８ｂに切溝９・１０を切溝９・１０が直列となるよう穿設し、端部８ａの先端に直列する切溝９に止軸１１を直交するよう設けると共に、該受部７の内周に突起１２を端部８ｂの元端より３箇所を内側に向けて突設し、握り易く湾曲させ重量軽減のために抜穴１３を設け一端上面を止部１４ａとした握手１４の一端を、受部７の端部８ｂ下方に切溝９・１０と直列となるよう湾曲を下方に向けて凸となるよう設けている。【００１０】  使用に当たっては、切断する合成樹脂製のパイプ１５の切断位置に受体６の受部７を概略合わせて受部７の底部７ａにて図  のパイプ１５を二点鎖線にて示す如く保持してから、カッター１の刃体２を切溝９・１０に合わせて挿入溝４ｂを止軸１１に挿入し図  の二点鎖線に示す如く設けて切断の準備をする。
このようにして切断準備が整うと、パイプ１５の切断位置にパイプ１５又は受体６の何れかを動かして切断位置に刃３を一致させる。
そして止軸１１を支点として柄５と握手１４を握り、握力にて図  の実践で示す状態を通過して当部５ｂが止部１４ａに当たるまでカッター１を押して行き、刃３にてパイプ１５の途中までを押し切る。【００１１】  カッター１にてパイプ１５の途中まで押し切ると、カッター１を止軸１１を支点として上げて元の位置まで戻し、切断位置がずれないようパイプ１５を回し前述と同じ要領で再度押し切ると共に、この操作を２乃至３回繰り返してパイプ１５を切断する。
尚、パイプ１５の切断に当たっては、切断状態に応じて図  の一点鎖線に示す如く突起１２の箇所にパイプ１５を設けて行なうようにしても良い。
このようにしてパイプ１５の切断が終ると、挿入溝４ｂを止軸１１より抜き取りカッター１を受体６より取り外し他の切断作業に用いると共に、受け体６は所定の場所に保管し次のパイプ切断に備えておく。
【産業上の利用可能性】
【００１２】  電気や水道配管作業用のみならず合成樹脂製パイプの切断用として用いることが出来る。
【図面の簡単な説明】
【００１３】
【図１】実施例１の一部を破断した正面図
【図２】実施例１の受体の一部を破断した正面図
【図３】実施例１の受体の平面図
【符号の説明】
【００１４】  １    カッター
２    刃体
３    刃
４    本体
４ａ  先端部
４ｂ  挿入溝
４ｃ  元端部
５    柄
５ａ  先端
５ｂ  当部
６    受体
７    受部
７ａ  底部
８ａ  端部
８ｂ  端部
９    切溝
１０    切溝
１１    止軸
１２    突起
１４    握手
１４ａ  止部
１５    パイプ
【図１】
0003118551.tif 000003
【図２】
0003118551.tif 000004
【図３】
0003118551.tif 000005